(57)【特許請求の範囲】
【請求項１】
（Ａ）式R3SiO(R'2SiO) a (R"HSiO)b SiR3または式(R'2SiO)a (R"HSiO)b の≡SiH 含有ポリシロキサン、及び任意に式HR2SiO(R'2SiO)c SiR2H の≡SiH 含有ポリシロキサンまたは式HR2SiO(R'2SiO)a (R"HSiO)b SiR2H の≡SiH 含有ポリシロキサン〔式中、Ｒ，Ｒ’及びＲ”は炭素数１〜６のアルキル基であり、ａは０〜２５０であり、ｂは１〜２５０であり、且つｃは０〜２５０である〕；
（Ｂ）式CH2 ＝CH(CH2) x O(CH2CH2O)y (CH2CH3CHO) z T または式CH2 ＝CH−Q −O(CH2CH2O)y (CH2CH3CHO) z T のモノアルケニルポリエーテル〔式中、Ｔは水素、Ｃ1 〜Ｃ10アルキル基、アリール基、またはＣ1 〜Ｃ20アシル基であり；Ｑは不飽和を含む二価結合基であり；ｘは１〜６であり、ｙは０または１〜１００であり；且つｚは０または１〜１００であるが、ｙ及びｚは共に０ではない〕；
（Ｃ）式CH2 ＝CH(CH2) x CH＝CH2 のα，ω−ジエン、式CH≡C(CH2)x C ≡CHのα、ω−ジイン、または式CH2 ＝CH(CH2) x C ≡CHのα，ω−エン−イン〔式中、ｘは１〜２０である〕；
（Ｄ）貴金属触媒；ならびに
（Ｅ）溶剤としてデカメチルシクロペンタシロキサン；
を一緒にして反応させることを含んでなるシリコーンエラストマーの製造方法。
【請求項２】
追加量のデカメチルシクロペンタシロキサンをシリコーンエラストマーに添加し、そしてこの追加量のデカメチルシクロペンタシロキサン及びシリコーンエラストマーをシリコーンペーストが形成されるまで剪断する追加の工程を含む請求項１に記載の方法。
【請求項３】
シリコーンペーストに水を添加し、そして水及びシリコーンペーストをシリコーンエマルジョンが形成されるまで剪断する追加の工程を含む請求項２に記載の方法。
【請求項４】
シリコーンエマルジョンを界面活性剤の不存在下に形成する請求項３に記載の方法。
【発明の詳細な説明】
【０００１】
【発明の属する技術分野】
本発明は、シリコーンゲル及びシリコーンペーストの形に膨潤されており、さらにシリコーンエマルジョンの形態となり得るシリコーンエラストマーの形態の増粘性低分子量シロキサン液または溶剤に関する。
【０００２】
【従来の技術】
「架橋結合」は、三次元網目構造中のポリマーストランドの結合部である。これらは、長鎖枝分かれと見なすことができ、その数は非常に多いため、連続的な不溶性網目構造またはゲルが形成される。
【０００３】
貴金属触媒ヒドロシリル化反応が、網目構造の形成にますます使用されるようになってきている。これらは代表的には、数個の≡SiH 基を含む低分子量シロキサンと数個の≡Si−ビニル基を含む高分子量シロキサン（または逆）との反応を含む。
【０００４】
このメカニズムの魅力のある特徴は、（ｉ）副生成物が生成せず、（ii）架橋部位、従って、網目構造の構築が狭く限定され、且つ（iii)ヒドロシリル化が室温でも進行して網目構造を形成できることである。このメカニズムにおいて、架橋は、二重結合をはさんだ≡SiH の付加、すなわち、
≡SiH   ＋  CH2 ＝CH−Ｒ  →  ≡SiCH2 CH2 −Ｒ
を含むか、または三重結合をはさんだ≡SiH の付加、すなわち、
≡SiH   ＋  HC≡Ｃ−Ｒ  →  ≡SiCH＝CH−Ｒ
を含む。
【０００５】
【発明が解決しようとする課題】
本発明者らは、このメカニズムを利用したが、このメカニズムの、容易には推考され得ない、いくつかの独特の改良を行うことによって、広範囲の特性及び用途を有する新しい領域の製品を開発した。更に詳しくは、１つの独特な側面は、界面活性剤を必要とせずに、本発明のシリコーンペーストを使用してエマルジョンを形成することである。これは、ある種の界面活性剤の存在による皮膚過敏性が問題となる身だしなみの手入れ（パーソナルケヤ）においてかなり価値がある。
【０００６】
【課題を解決するための手段】
本発明は、（Ａ）≡SiH 含有ポリシロキサン；（Ｂ）モノアルケニルポリエーテル；（Ｃ）不飽和炭化水素、例えば、α，ω−ジエン；（Ｄ）貴金属触媒；及び（Ｅ）溶剤を１つのポット中に一緒にして、シリコーンエラストマーが生成するまで反応させることによるシリコーンエラストマーの製造方法に関する。
【０００７】
別の特徴としては、追加の溶剤をシリコーンエラストマーに添加し、シリコーンペーストが形成されるまで、溶剤及びシリコーンエラストマーを剪断する。
さらに別の特徴としては、水をシリコーンペーストに添加し、シリコーンエマルジョンが形成されるまで、水及びシリコーンペーストを剪断する。生成物であるシリコーンエマルジョンは、界面活性剤を用いずに形成される。
【０００８】
これらの方法によって製造されるシリコーンゲル、エラストマー、ペースト及びエマルジョンは、ヒトの毛髪、皮膚または腋の下の部分の処理において特別な価値及び有用性を有する。さらに、これらのエラストマー、ペースト及びエマルジョンは、溶剤または揮発性成分の全てを蒸発させた後にバリヤーフィルムを形成できる。
【０００９】
【発明の実施の形態】
本発明及び関連する工程は、以下の順序で説明した方法に従って行う。
工程１：ポリエーテルの導入
≡SiH シロキサン  ＋  モノアルケニルポリエーテル  ＋  貴金属触媒
→  ポリエーテル基を有する≡SiH シロキサン
工程２：ゲル化
ポリエーテル基を有する≡SiH シロキサン  ＋  ≡SiH シロキサン（任意）
＋  α，ω−ジエン  ＋  溶剤  ＋  貴金属触媒
→  ゲル（エラストマー）
工程３：剪断及び膨潤
ゲル／エラストマー  ＋  溶剤  →  ペースト
工程４：乳化
シリコーンペースト  ＋  水  ＋  剪断  →  シリコーンエマルジョン
【００１０】
工程１において、ポリエーテルの、≡SiH シロキサン中≡SiH に対するモル比は０〜１である。
工程２において、溶剤の、ポリエーテル基を有する≡SiH シロキサンとα, ω−ジエンの重量に対する重量比は、１〜９８、好ましくは３〜１０である。ポリエーテル基を有する≡SiH シロキサン中の≡SiH の、α，ω−ジエン中のビニルに対するモル比は２０：１〜１：２０、好ましくは１：１である。工程２は種々の型の化合物の混合物を含むことができるが、少なくとも１種の≡SiH 含有シロキサンはポリエーテル基を含んでいなければならない。
【００１１】
例えば、工程２に特に適当であることが判明した１つの配合物は、以下の化合物を含む混合物である：
Me3SiO(Me2SiO)50[MeQSiO]4(MeHSiO)5SiMe3 
HSiMe2O(Me2SiO)10SiHMe2 
Me3SiO(Me2SiO)8(MeHSiO)4SiMe3 
１，５−ヘキサジエン及びデカメチルシクロペンタンシロキサン。これらの式中において、Meはメチルであり（以下においても同様）、Ｑは-CH2CH2CH2(CH2CH2O)10Hである。
【００１２】
工程３において、シリコーンペーストは増粘のために、８０〜９８重量％の溶剤または他の液体を含む。
【００１３】
工程４において、水対シリコーンペーストの重量比は、９５：５〜５：９５である。
しかしながら、本発明においては、先行技術の分離した工程１及び２は排除し、全ての反応体（すなわち、≡SiH 含有シロキサン、モノアルケニルポリエーテル、α，ω−ジエン、溶剤及び貴金属触媒）を１つのポット中で一緒にして、反応させる。
【００１４】
≡SiH 含有ポリシロキサン（Ａ）はＡ1 型と称される式R3SiO(R'2SiO) a (R"HSiO)b SiR3の化合物、及びＡ2 型と称される式HR2SiO(R'2SiO)c SiR2H の化合物または式HR2SiO(R'2SiO)a (R"HSiO)b SiR2H の化合物によって代表される。前記の３つの式において、Ｒ，Ｒ’及びＲ”は炭素数１〜６のアルキル基であり；ａは０〜２５０であり；ｂは１〜２５０であり；ｃは０〜２５０である。化合物のモル比Ａ2 ：Ａ1 は０〜２０、好ましくは０〜５である。好ましい実施態様においては、Ａ1 型とＡ2 型の化合物が反応において用いられるが、Ａ1 型の化合物のみを使用することによって反応がうまく行えることもある。
【００１５】
≡SiH 含有ポリシロキサンＡ1 はまた、式（(R'2SiO)a (R"HSiO)b 〔式中、Ｒ’，Ｒ”，ａ及びｂは前に定義した通りである〕で一般に表されるアルキル水素シクロシロキサンまたはアルキル水素ジアルキルシクロシロキサンコポリマーを含むこともできる。好ましくは、ａは０〜７であり：ｂは３〜１０である。代表的な化合物には、(OSiMeH)4 、(OSiMeH)3(OSiMeC6H13) 、(OSiMeH)2(OSiMeC6H13)2及び(OSiMeH)(OSiMeC6H13)3 がある。
【００１６】
最も好ましい不飽和炭化水素（Ｃ）は、式CH2 ＝CH(CH2) x CH＝CH2 〔式中、ｘは１〜２０である〕のα，ω−ジエンである。本明細書において使用するのに適当なα，ω−ジエンの代表例には、１，４−ペンタジエン；１，５−ヘキサジエン；１，６−ヘプタジエン；１，７−オクタジエン；１，８−ノナジエン；１，９−デカジエン；１，１１−ドテカジエン；１，１３−テトラデカジエン及び１，１９−エイコサジエンがある。
【００１７】
しかし、他の不飽和炭化水素、例えば、式CH≡C(CH2)x C ≡CHのα，ω−ジイン；または式CH2 ＝CH(CH2) x C ≡CHのα，ω−エン−イン〔式中、ｘは１〜２０である〕も使用できる。本明細書において使用するのが適当なα，ω−ジインの代表例には、１，５−ヘキサジイン（ジプロパルギル）HC≡C-CH2CH2-C≡CHがある。適当なα，ω−エン−インの代表例の１つは、ヘキセン−５−イン−１CH2 ＝CHCH2CH2C ≡CHである。
【００１８】
本発明の反応は、≡SiH 含有シロキサン、モノアルケニルポリエーテル及びα，ω−ジエンの間の反応を行うために触媒（Ｄ）を必要とする。適当な触媒は第VIII族遷移金属、すなわち、貴金属である。このような貴金属触媒は、米国特許第３，９２３，７０５号に記載されている。この特許は代表的に白金触媒とそれらの製造方法を示している。好ましい白金触媒の１つは、Karstedt触媒であり、米国特許第３，７１５，３３４号及び同第３，８１４，７３０号に記載されている。Karstedt触媒は、ポリジメチルシロキサン液中にまたはトルエンのような溶剤中に担持された、代表的には１重量％の白金を含む白金ジビニルテトラメチルジシロキサン錯体である。本発明の例中で使用する触媒は、２センチストークス(mm2／ｓ）のポリジメチルシロキサン液中にまたはデカメチルシクロペンタシロキサンのような揮発性メチルシロキサン中に担持された１〜２重量％の白金としてのKarstedt触媒２０μｌ、４０μｌまたは２００μｌである。別の好ましい白金触媒は、塩化白金酸と末端脂肪族不飽和を有する有機珪素化合物との反応生成物である。より詳しくは、米国特許第３，４１９，５９３号に記載されている。貴金属触媒は、≡SiH 含有ポリシロキサン１００重量部当たり貴金属０．００００１〜０．５部、好ましくは０．００００１〜０．０２部、最も好ましくは０．００００１〜０．００２部の量で使用する。
【００１９】
モノアルケニルポリエーテル（Ｂ）は、式CH2 ＝CH(CH2) x O(CH2CH2O)y (CH2CH3CHO) z T の化合物または式CH2 ＝CH−Q −O(CH2CH2O)y (CH2CH3CHO) z T の化合物である。これらの式中において、Ｔは末端基を表し、水素原子；Ｃ1 〜Ｃ10アルキル基、例えば、メチル、エチル、プロピル、ブチル及びデシル；アリール基、例えば、フェニル；またはＣ1 〜Ｃ20アシル基、例えば、アセチル、プロピオニル、ブチリル、ラウロイル、ミリストイル及びステアロイルである。Ｑは、不飽和を含む二価の結合基、例えば、フェニレン-C6H4-である。ｘの値は１〜６であり；ｙは０または１〜１００の値であり；ｚは０または１〜１００の値であるが；ｙとｚが共に０であることはできない。
【００２０】
適当なモノアルケニルポリエーテルの代表例には、式CH2 ＝CHCH2O(CH2CH2O)7H 、CH2 ＝CHCH2O(CH2CH2O)10[CH(CH3)CH2O]4H、及びCH2 ＝CHCH2O(CH2CH2O)7C(O)CH3 を有する化合物がある。
【００２１】
本明細書中で使用する「溶剤」とは、工業的規模で他の物質を溶解させ、懸濁させまたはその物理的性質を変化させるのに使用される（ｉ）有機化合物、（ii）以下に列挙する珪素原子を含む化合物、（iii)有機化合物の混合物、（iv）珪素原子を含む化合物の混合物または（ｖ）有機化合物と珪素原子を含む化合物との混合物を意味する。
【００２２】
一般に、有機化合物（Ｅ）（ｉ）は芳香族炭化水素、脂肪族炭化水素、アルコール、アルデヒド、ケトン、アミン、エステル、エーテル、グリコール、グルコールエーテル、ハロゲン化アルキルまたは芳香族ハロゲン化物である。一般的有機溶剤の代表例には、以下のものがある；アルコール、例えば、メタノール、エタノール、１−プロパノール、シクロヘキサノール、ベンジルアルコール、２−オクタノール、エチレングリコール、プロピレングリコール及びグリセロール；脂肪族炭化水素、例えば、ペンタン、シクロヘキサン、ヘプタン、ＶＭ＆Ｐ溶剤及びミネラルスピリット；ハロゲン化アルキル、例えば、クロロホルム、四塩化炭素、ペルクロロエチレン、塩化エチル及びクロロベンゼン；芳香族炭化水素、例えば、ベンゼン、トルエン、エチルベンゼン及びキシレン；エステル、例えば、酢酸エチル、酢酸イソプロピル、アセト酢酸エチル、酢酸アミル、イソ酢酸イソブチル及び酢酸ベンジル；エーテル、例えば、エチルエーテル、ｎ−ブチルエーテル、テトラヒドロフラン及び１，４−ジオキサン；グリコールエーテル、例えば、エチレングリコールモノメチルエーテル、エチレングリコールモノメチルエーテルアセテート、ジエチレングリコールモノブチルエーテル及びプロピレングリコールモノフェニルエーテル；ケトン、例えば、アセトン、メチルエチルケトン、シクロヘキサノン、ジアセトンアルコール、メチルアミルケトン及びジイソブチルケトン；石油炭化水素、例えば、鉱油、ガソリン、ナフサ、ケロシン、軽油、重油及び原油；潤滑油、例えば、スピンドル油及びタービン油；ならびに脂肪油、例えば、トウモロコシ油、大豆油、オリーブ油、ナタネ油、綿実油、イワシ油、ニシン油及び鯨油。
【００２３】
他の種々の有機溶剤、例えば、アセトニトリル、ニトロメタン、ジメチルホルムアミド、プロピレンオキシド、トリオクチルホスフェート、ブチロラクトン、フルフラール、パイン油、ターペンタイン及びｍ−クレゾールも使用できる。
【００２４】
用語「溶剤」にはさらに以下のものが含まれる：揮発性香味剤、例えば、冬緑油；ペパーミント油；スペアミント油；メントール；バニラ；シナモン油；チョウジ油；ベイ油；アニス油；ユーカリ油；タイム油；シーダーリーフ油（cedar leaf oil）；ナツメグ油；セージ油；カッシア油；ココア；甘草；高フルクトースコーンシロップ；カンキツ油、例えば、レモン、オレンジ、ライム及びグレープフルーツ；フルーツエッセンス、例えば、リンゴ、洋ナシ、モモ、ブドウ、イチゴ、ラズベリー、チェリー、プラム、パイナップル及びアプリコット；並びにアルデヒド及びエステルを含む他の有用な香料、例えば、酢酸シンナミル、シンナムアルデヒド、オイゲニルホルメート、ｐ−メチルアニソール、アセトアルデヒド、ベンズアルデヒド、アニスアルデヒド、シトラール、ネラール、デカナール、バニリン、トリルアルデヒド、２，６−ジメチルオクタナール及び２−エチルブチルアルデヒド。
【００２５】
さらに、用語「溶剤」は揮発性フレグランス、例えば天然製品及び香油（perfume oil)を含むものとする。天然製品及び香油の代表例としては以下のようなものがある：アンバーグリス、安息香、シベット、チョウジ、リーフオイル、ジャスミン、マテ（mate')、ミモザ、ジャコウ、ミルラ、イリス、ビャクダン油及びベチバ油（vetivert oil）；芳香化合物、例えば、サリチル酸アミル、アミルシンナムアルデヒド、酢酸ベンジル、シトロネロール、クマリン、ゲラニオール、酢酸イソボルニル、アンブレット及び酢酸テルピニル；並びに種々の古典系香水、例えば、フローラルブーケ系、オリエンタル系、シプレ系、ウッド系、シトラス系、カヌー（canoe)系、レザー系、スパイス及びハーブ系。
【００２６】
「低分子量シリコーン油」としては、珪素原子を含む化合物、例えば、（ｉ）低分子量線状及び環状揮発性メチルシロキサン、（ii）低分子量線状及び環状揮発性及び非揮発性アルキル及びアリールシロキサン、並びに（iii)低分子量官能線状及び環状シロキサンが挙げられる。しかし、最も好ましいのは、低分子量線状及び環状揮発性メチルシロキサン（ＶＭＳ）である。
【００２７】
ＶＭＳ化合物は、式（CH3)a SiO (4-a)/2 〔式中、ａは２〜３の平均値を有する」の平均単位に対応する。これらの化合物は、≡Si-O-Si ≡結合によって接続されたシロキサン単位を含む。代表的な単位は、一官能Ｍ単位(CH3)3SiO1/2及び二官能Ｄ単位(CH3)2SiO2/2である。
【００２８】
三官能Ｔ単位CH3SiO3/2 が存在すると、枝分かれ線状または環状揮発性メチルシロキサンが形成される。四官能Ｑ単位SiO4/2が存在すると、枝分かれ線状または環状揮発性メチルシロキサンが形成される。
【００２９】
線状ＶＭＳは、式(CH3)3SiO ｛(CH3)2SiO ｝y Si(CH3)3を有する。ｙの値は０〜５である。環状ＶＭＳは式｛(CH3)2SiO ｝z を有する。ｚの値は３〜９である。好ましくは、これらの揮発性メチルシロキサンは、２５０℃未満の沸点及び０．６５〜５．０センチストークス（mm2 ／ｓ）の粘度を有する。
【００３０】
代表的な線状ＶＭＳは、沸点が１００℃及び粘度が０．６５mm2 ／ｓである式Me3SiOSiMe3 のヘキサメチルジシロキサン（ＭＭ）；沸点が１５２℃及び粘度が１．０４mm2 ／ｓである式Me3SiOMe2SiOSiMe3 のオクタメチルトリシロキサン（ＭＤＭ）；沸点が１９４℃及び粘度が１．５３mm2 ／ｓである式Me3SiO(Me2SiO)2SiMe3のデカメチルテトラシロキサン（ＭＤ2 Ｍ）；沸点が２２９℃及び粘度が２．０６mm2 ／ｓである式Me3SiO(Me2SiO)3SiMe3のドテカメチルペンタシロキサン（ＭＤ3 Ｍ）；沸点が２４５℃及び粘度が２．６３mm2 ／ｓである式Me3SiO(Me2SiO)4SiMe3のテトラデカメチルヘキサシロキサン（ＭＤ4 Ｍ）；並びに沸点が２７０℃及び粘度が３．２４mm2 ／ｓである式Me3SiO(Me2SiO)5SiMe3のヘキサデカメチルヘプタシロキサン（ＭＤ5 Ｍ）である。
【００３１】
代表的な環状ＶＭＳは、沸点が１３４℃で式が｛(Me2)SiO｝3 の固体ヘキサメチルシクロトリシロキサン（Ｄ3)；沸点が１７６℃及び粘度が２．３mm2 ／ｓである、式｛(Me2)SiO｝4 のオクタメチルシクロテトラシロキサン（Ｄ4)；沸点が２１０℃及び粘度が３．８７mm2 ／ｓである、式｛(Me2)SiO｝5 のデカメチルシクロペンタシロキサン（Ｄ5)；並びに沸点が２４５℃及び粘度が６．６２mm2 ／ｓである、式｛(Me2)SiO｝6 のドデカメチルシクロヘキサシロキサン（Ｄ6)である。
【００３２】
代表的な枝分かれＶＭＳは、沸点が１９２℃及び粘度が１．５７mm2 ／ｓである、式C10H30O3Si4 のヘプタメチル−３−｛（トリメチルシリル）オキシ｝トリシロキサン（Ｍ3 Ｔ）；沸点が２２２℃及び粘度が２．８６mm2 ／ｓである、式C12H36O4Si5 のヘキサメチル−３，３，ビス−｛（トリメチルシリル）オキシ｝トリシロキサン（Ｍ4 Ｑ）；並びに式C8H24O4Si4のペンタメチル｛（トリメチルシリル）オキシ｝シクロトリシロキサン（ＭＤ3 ）である。
【００３３】
本方法はまた、各々式R3SiO(R2SiO)y SiR3及び(R2SiO) z で表される低分子量線状及び環状揮発性及び非揮発性アルキル及びアリールシロキサンの使用を含む。後者の式において、Ｒは炭素数２〜２０のアルキル基またはアリール基、例えば、フェニルである。ｙの値は０〜８０、好ましくは５〜２０である。ｚの値は３〜９、好ましくは４〜６である。これらのポリシロキサンは一般に１〜１００センチトークス(mm2／ｓ）の範囲の粘度を有する。また、ｙが１００〜１，０００センチトークス(mm2／ｓ）の範囲の粘度を有するポリマーを生じるのに充分な値を有するポリシロキサンも使用できる。代表的には、ｙは８０〜３７５である。このようなポリシロキサンの例は、ポリジメチルシロキサン、ポリジエチルシロキサン、ポリメチルエチルシロキサン、ポリメチルフェニルシロキサン及びポリジフェニルシロキサンである。
【００３４】
低分子量官能性ポリシロキサンも使用でき、式R3SiO(RQSiO)y SiR3〔式中、Ｑは官能基である〕で表される。Ｑで表される官能基を含むこのような官能性ポリシロキサンの例は、アクリルアミド官能性シロキサン液、アクリレート官能性シロキサン液、アミド官能性シロキサン液、アミノ官能性シロキサン液、カルビノール官能性シロキサン液、カルボキシ官能性シロキサン液、クロロアルキル官能性シロキサン液、エポキシ官能性シロキサン液、グリコール官能性シロキサン液、ケタール官能性シロキサン液、メルカプト官能性シロキサン液、メチルエステル官能性シロキサン液、ペルフルオロ官能性シロキサン液及びシラノール官能性シロキサンである。
【００３５】
本発明は、低分子量ポリシロキサンのみを有する膨潤性シリコーンエラストマーに限定されない。他の型の溶剤もシリコーンエラストマーを膨潤させることができる。従って、単一の溶剤または溶剤の混合物を使用できる。
【００３６】
本発明方法は、≡SiH 含有シロキサン、モノアルケニルポリエーテル、α，ω−ジエン、溶剤及び貴金属触媒を単純に１つのポット中で一緒にし；次いで、ゲル、エラストマー、ペーストまたはエマルジョンが形成されるまでこれらの成分を室温で混合することによって行う。所望ならば、ゲル、エラストマー、ペーストまたはエマルジョンをさらに、追加の同様または異なった溶剤で希釈して、最終組成物を形成することもできる。ヘキサンとテトラヒドロフラン、フレグランス、油、または別の低分子量シロキサンとのブレンドは、このように使用できる希釈剤の例である。この方法を加速するためには、室温より高い温度も使用できる。
【００３７】
追加量の溶剤をゲルに添加し（すなわち、工程３）、得られた混合物に剪断力を加えて、ペーストを形成する。工程４において、ペーストに水を添加する過程でまたはその後に再び剪断力を用いて、エマルジョンを形成する。これらの工程を行うために使用する混合及び剪断装置は型を問わず、例えば、バッチミキサー、遊星形ミキサー、一軸もしくは多軸スクリュー押出機、動的もしくは静的ミキサー、コロイドミル、ホモジナイザー、ソノレーター（sonolator)またはそれらの組み合わせを使用できる。
【００３８】
代表的には、この方法は、≡SiH 含有シロキサン中の≡SiH とα，ω−ジエン中のビニルとを概ね１：１のモル比で用いることによって行う。≡SiH 含有シロキサンまたはα，ω−ジエンのいずれかを過剰に用いて本発明の方法を行うことによっても有用な材料を製造できると予想されるが、これは、材料使用の効率がより悪くなると考えられるであろう。我々が特許請求の範囲に記載した組成物の残りは、一般に組成物の６５〜９８重量％、好ましくは８０〜９８重量％の量の溶剤を含む。
【００３９】
本発明のシリコーンエラストマー、シリコーンゲル、シリコーンペースト及びシリコーン粉末組成物は、身だしなみの手入れにおいて特別な価値を有する。これらの組成物のＶＭＳ成分は独特の揮発性があるため、単独で使用しても、他の化粧液とブレンドしても、医師の処方箋なしで購買できる（over-the-counter）（ＯＴＣ）種々の身だしなみ手入れ用製品とすることができる。
【００４０】
従って、これらは乾燥感を残すが蒸発時に皮膚を冷やさないので、制汗剤及び脱臭剤中のキャリヤーとして有用である。これらは滑らかであり、スキンクリーム、スキンケアローション、モイスチャライザー、フェイシャルトリートメント、例えば、ニキビまたはしわの除去剤、体及び顔の洗浄料、浴用オイル、香水、コロン、香粉、サンスクリーン、プレシェーブローション及びアフターシェーブローション、液体石鹸、ひげ剃り石鹸及びシェービングフォーム（shaving lathers)の性質を改良する。これらは、ヘアシャンプー、ヘアコンディショナー、ヘアスプレー、ムース、パーマネント剤、脱毛剤及びキューテュクルコート中に使用して、光沢を改良し、乾燥時間を短縮させ、コンディショニングの効果をもたらすことができる。
【００４１】
化粧品において、これらはメイクアップ化粧品、カラーコスメチック、ファンデーション、頬紅、口紅、リップクリーム、アイライナー、マスカラ、オイルリムーバー、カラーコスメチックリムーバー、及び粉おしろい中の顔料用の均展剤及び展着剤として容易に作用する。これらはまた、ビタミン類のような油溶性及び水溶性物質用の供給系としても有用である。スチック、ゲル、ローション、エアゾル及び回転塗布剤中に混和すると、組成物は乾燥した、絹のように滑らかな繰り出しを与える。
【００４２】
さらに、特許請求の範囲に記載した組成物は、種々の有利且つ有益な特性、例えば、透明度、保存性及び製造し易さを示す。従って、これらは広く利用され、特に、制汗剤、脱臭剤中に、キャリヤーとして香水中に及び毛髪のコンディショニングに利用される。
【００４３】
シリコーンエラストマー、ゲル、ペースト及び粉末は身だしなみの手入れを超えて利用される。例えば、ケーブル用の填材もしくは絶縁材、グランド安定化用の土壌もしくは水バリヤー、または電子工業におけるコイル−オン−プラグデザインに使用されるエポキシ材料の代用品として利用される。
【００４４】
これらはまた、架橋シリコーンゴム粒子用のキャリヤーとして有用である。その用途においては、（ｉ）これらは、シーラント、ペイント、塗料、グリース、接着剤、消泡剤及び注封材料中としてこのようなシリコーンまたは有機相に粒子を混和し易くし、そして、（ii）適切なまたは最終状態においてこのような相の流動学的性質、物理的性質、またはエネルギー吸収性を改良する。
【００４５】
さらに、本発明のシリコーンエラストマー、ゲル、ペースト及び粉末は、医薬品、殺生剤、除草剤、農薬、及び他の生物活性物質用のキャリヤーとして作用でき、また、水及び水溶性物質を疎水系に混和するのに使用できる。水溶性物質の例には、サリチル酸、グリセロール、酵素及びグリコール酸がある。
【００４６】
【実施例】
以下の実施例は、本発明に係るワンポット法をさらに説明するために記載する。
【００４７】
例１−ワンポット法
平均構造Me3SiO(Me2SiO)93(MeHSiO)6SiMe3を有するオルガノポリシロキサン１５ｇ、平均構造CH2 ＝CHCH2O(CH2CH2O)7C(O)CH3 を有するポリエーテル０．５３ｇ、デカメチルシクロペンタシロキサン７２ｇ、１，５−ヘキサジエン０．４８ｇ及びKarstedt触媒（すなわち、デカメチルシクロペンタシロキサン中に白金２重量％）４０μｌを最初に反応容器に入れた。次いで、溶液を６０℃の浴中で加熱し、大型の電磁攪拌バーで激しく攪拌した。速やかにゲル化が起こった。ゲルを６０℃の浴中で５時間加熱した。わずかに濁りを帯びたゲルが形成された。ゲル７０ｇを剪断し、デカメチルシクロペンタシロキサン５５ｇで膨潤させた。剪断速度０．０１ｓ-1における粘度が１．１７×１０6 cP(mPa・ｓ）の均一なペーストが得られた。この均一なペースト２０ｇと脱イオン水１５ｇとをガラスジャー中で機械的攪拌機によって混合して、剪断速度０．０１ｓ-1における粘度が５．２９×１０6 cP(mPa・ｓ）の白色エマルジョンペーストを形成した。このエマルジョンの形成には界面活性剤は不要であった。